(57)【要約】【課題】本発明は、防護柵を乗り越えようとする動物の力を利用して農地への侵入を防止することができる機能を備えた動物進入防護柵及び地面からの侵入防止の機能を付加した動物進入防護システムを提供することを目的とするものである。【解決手段】本発明は、柵本体４と、この柵本体４の上方に配置されると共に、その回転軸７が柵本体４と略平行であり、一方向のみに回転可能に構成された回転体５と、この回転体５に設けられた凸部８とを備える。【選択図】図１
2011087495.tif 000002
【特許請求の範囲】
【請求項１】
柵本体と、
該柵本体の上方に配置されると共に、その回転軸が前記柵本体と略平行であり、一方向のみに回転可能に構成された回転体と、
該回転体に設けられた凸部とを備える
動物侵入防護柵。
【請求項２】
前記凸部は、前記回転体の回転方向に一定間隔を隔てて複数個が設けられた
請求項１に記載の動物侵入防護柵。
【請求項３】
前記凸部は、前記回転体の回転方向に１２０°を隔てて３個が設けられた
請求項１に記載の動物侵入防護柵。
【請求項４】
所定以下の荷重では前記回転体を回転不能に制御する制御部を備える
請求項１、請求項２または請求項３に記載の動物侵入防護柵。
【請求項５】
柵本体と、該柵本体の上方に配置されると共に、その回転軸が前記柵本体と略平行であり、一方向のみに回転可能に構成された回転体と、該回転体に設けられた凸部を有する動物侵入防護柵と、
該動物侵入防護柵よりも前記回転体の回転方向側に、前記動物侵入防護柵に沿って設けられた所定幅の凹溝部と、
該凹溝部の少なくとも前記動物侵入防護柵側に配置された硬質部材とを備える
動物侵入防護システム。
【発明の詳細な説明】
【技術分野】
【０００１】
本発明は、動物侵入防護柵及び動物侵入防護システムに関する。詳しくは、例えば、イノシシ、鹿等による農作物の食害を防止するための動物侵入防護柵及びこの動物侵入防護柵を備えた動物侵入防護システムに係るものである。
【背景技術】
【０００２】
従来、イノシシ、鹿等の農地への侵入による農作物被害を防止するための防護柵として、例えば特許文献１に記載されたものが知られている。具体的には、図５に示すように、所定間隔で立設された複数の支柱１０１と、各支柱間に張設された導電性のネットフェンス１０２と、各支柱間においてネットフェンス１０２の上縁から所定の高さ位置までを覆うようにネットフェンンス１０２の柵外側に張設された不透明のシート１０３と、柵外側においてシート１０３の面に対して垂直な方向に所定の距離だけ離隔して水平方向に架設された少なくとも１本の電線１０４と、少なくとも１本の電線とネットフェンス間に高電圧を印加する手段とを備えた構成の防護柵が特許文献１に記載されている。
【先行技術文献】
【特許文献】
【０００３】
【特許文献１】特開２００９−１０６２１５号公報
【発明の概要】
【発明が解決しようとする課題】
【０００４】
しかしながら、特許文献１に記載の防護柵では、その付属設備として高電圧に変換するための変圧器や電源を確保するための配線コード、あるいはバッテリーや発電機など、防護柵のランニングコスト負担が大きくなってしまう。
【０００５】
また、昼間は子供等が間違って高電圧に触れることによる事故を防ぐために、電源を切っておくことが多く、そのために昼間に防護柵の上端に前足を掛けて乗り越えて農地が荒らされるなどの被害が報告されている。
【０００６】
本発明は、以上の点に鑑みて創案されたものであって、ランニングコストを低減すると共に、動物の侵入を抑止することができる動物侵入防護柵及び動物侵入防護システムを提供することを目的とするものである。
【課題を解決するための手段】
【０００７】
上記の目的を達成するために、本発明に係る動物侵入防護柵は、柵本体と、該柵本体の上方に配置されると共に、その回転軸が前記柵本体と略平行であり、一方向のみに回転可能に構成された回転体と、該回転体に設けられた凸部とを備える。
【０００８】
ここで、柵本体の上方に配置される回転体が一方向のみに回転可能に構成されているために、回転体の回転方向が動物の侵入方向と逆方向となる様に動物侵入防護柵を設置することで、動物の侵入を抑止することができる。
即ち、動物が柵本体の上方に配置された回転体に手や前足を掛けて乗り越えようとすると、動物の体重によって回転体に負荷が加わり、回転体が動物の侵入方向とは逆方向に回転することで動物の侵入を抑止することができるのである。
【０００９】
また、凸部が回転体の回転方向に一定間隔を隔てて複数個が設けられることによって、回転体がいかなる状態であったとしても同様に動物の侵入を抑止することができる。即ち、凸部が不均一に設けられている場合には、回転体の状態によって動物の侵入の抑止度合いが変化してしまうのに対し、凸部が回転方向に均一に設けられることによって、回転体の状態によらず動物の侵入の抑止度合いが均一化されるのである。
【００１０】
また、凸部が回転体の回転方向に１２０°を隔てて３個が設けられることによって、動物の侵入を抑止するのに適度な間隔を実現することが可能となる。
【００１１】
また、所定以下の荷重では回転体を回転不能に制御する制御部を備えることによって、動物の侵入とは無関係である風力等で回転体が回転することを抑止することができ、不要な回転を抑止することで周囲の安全を確保することが可能となる。
【００１２】
また、上記の目的を達成するために、本発明に係る動物侵入防護システムは、柵本体と、該柵本体の上方に配置されると共に、その回転軸が前記柵本体と略平行であり、一方向のみに回転可能に構成された回転体と、該回転体に設けられた凸部を有する動物侵入防護柵と、該動物侵入防護柵よりも前記回転体の回転方向側に、前記動物侵入防護柵に沿って設けられた所定幅の凹溝部と、該凹溝部の少なくとも前記動物侵入防護柵側に配置された硬質部材とを備える。
【００１３】
ここで、凹溝部の所定幅を、侵入を抑止しようとする動物（例えば、イノシシ）の全長よりも短い幅とすることで、動物侵入防護柵を正面に見て凹溝部に侵入できなくし、また、凹溝部の動物侵入防護柵側に硬質部材（例えば、コンクリート壁）を配置することで、穴掘りによる動物侵入防護柵の地面下からの潜り抜けによる侵入を抑止することが可能となる。
【発明の効果】
【００１４】
本発明の動物侵入防護柵及び動物侵入防護システムでは、ランニングコストを低減することができ、更には、動物の侵入を充分に抑止することができる。
【図面の簡単な説明】
【００１５】
【図１】本発明を適用した動物侵入防護柵の一例を説明するための正面図及び側面図である。
【図２】本発明を適用した動物侵入防護柵の一例を説明するための要部拡大側面図である。
【図３】本発明を適用した動物侵入防護システムの一例を説明するための平面図である。
【図４】本発明を適用した動物侵入防護システムの一例を説明するための断面側面図である。
【図５】従来の動物侵入防護柵の一例を示す説明図である。
【発明を実施するための形態】
【００１６】
以下、本発明の実施の形態を図面を参酌しながら説明し、本発明の理解に供する。なお、説明は以下の順序で行う。
１．第１の実施の形態（動物侵入防護柵の一例）
２．第２の実施の形態（動物侵入防護システムの一例）
【００１７】
＜１．第１の実施の形態＞
図１は本発明を適用した動物侵入防護柵の一例を説明するための正面図及び側面図であり、図２は本発明を適用した動物侵入防護柵の一例を説明するための要部拡大側面図である。
【００１８】
ここで示す動物侵入防護柵１は、所定間隔で立設された支柱２と、この支柱２間に張設されたネットフェンス３とからなる柵本体４と、この柵本体４のネットフェンス３の上縁から所定の高さ位置に架設される回転体５を有する構成とされている。
【００１９】
柵本体４は、農作地等を囲むような状態で地面に立設されており、この柵本体４の支柱２の上端には、支柱２から更に鉛直方向に立設された回転体支持部６を有する。そして、回転体支持部６間に回転体５が架設されている。
【００２０】
回転体５は、板状に構成された柵本体４と略平行に配置された回転軸７と、この回転軸７の長手方向に沿って突設された凸部８によって構成されている。なお、凸部８は、回転軸７の回転方向に１２０度間隔で３個が設けられている。
【００２１】
更に、回転軸７は一方向のみにしか回転しない様に構成され、具体的には汎用のラチェット等を用いることで一方向のみにしか回転しない様に構成されている。なお、動物侵入防止柵１は、回転体５が動物の侵入方向とは逆方向にのみ回転する様に配置されることとなる。具体的には、図１及び図２では反時計方向（左回り）にのみ回転可能に構成されている。
【００２２】
また、柵本体４の上端面の一方側端部（動物の侵入側とは逆側の端部）には弾性材料から構成された抵抗体２０が配置されており、所定以下の荷重（侵入しようとする動物の体重よりも小さな荷重）では抵抗体２０によって回転体５の回転が遮られることとなる。こうすることによって、動物とは無関係の風力等で回転体５が回転しないような構成を実現することができる。
【００２３】
なお、所定荷重を越えた荷重（侵入しようとする動物の体重と同程度以上の荷重）が抵抗体２０に加えられた場合には、抵抗体２０が弾性変形をすることで回転体５が回転することとなる。
【００２４】
また、本実施の形態では、回転体を回転不能に制御する制御部の一例として弾性材料から構成された抵抗体２０を例に挙げて説明を行っているが、制御部は必ずしも本実施の形態で例示した抵抗体に限定されるものではなく、回転体を回転不能に制御することができるのであれば、いかなる機構であっても構わない。
【００２５】
本発明を適用した動物侵入防護柵の一例では、イノシシや鹿等の動物の侵入を極めて効果的に抑止することができる。
即ち、イノシシや鹿等の動物が農地内に侵入しようとして柵本体４を乗り越えようとする場合には、先ず、柵本体４のネットフェンス３の上端に沿って架設された回転体５の凸部８に前足を掛け、その前足を侵入方向とは反対方向（動物の後方側）へ押し出す様にして乗り越えようとする。しかし、前足を侵入方向とは反対方向へ押し出そうとしても、イノシシや鹿等の動物の体重によって回転体５が侵入方向とは反対向き（左回り）に回転して、ずれ落ちてしまう。
【００２６】
更には、回転体５が回転し、前足を掛けた凸部８の先の凸部８がイノシシや鹿等の動物の頭を押さえ付けることにもなる。この様に、動物侵入防護柵を乗り越えようとした際に回転体５が回転することによって、上述の様に、イノシシや鹿等の動物の侵入を極めて効果的に抑止することができるのである。
【００２７】
図３は本発明を適用した動物侵入防護システムの一例を説明するための平面図であり、図４は本発明を適用した動物侵入防護システムの一例を説明するための断面側面図である。
【００２８】
ここで示す動物侵入防護システムＡは、図３及び図４で示す様に、凹溝部１５に沿って第１の実施の形態の動物侵入防護柵１が設けられている。
【００２９】
ここで、動物侵入防護柵１の回転体５は動物の侵入方向とは逆方向（左回り）にのみ回転する様な構成とされており、凹溝部１５は動物侵入防護柵１よりも動物の侵入方向側に設けられている。
【００３０】
また、凹溝部１５の幅は、侵入を抑止しようとする動物（例えばイノシシ）の全長よりも短い幅に構成されており、凹溝部１５の壁面はコンクリート等の硬質部材１４によって形成されている。
【００３１】
なお、本実施の形態では、凹溝部１５の側壁及び底部がコンクリート等の硬質部材１４で構成された場合を例に挙げて説明を行っているが、必ずしも凹溝部１５の側壁及び底部がコンクリート等の硬質部材１４で構成される必要は無く、少なくとも凹溝部１５の動物侵入防護柵１側の側壁がコンクリート等の硬質部材１４で形成されれば、後述する様に、動物の地中からの潜り抜けを抑止することができる。
【００３２】
以上の構成よりなる本発明の動物侵入防護システムでは、凹溝部１５の側壁が硬質部材１４で形成されているために、動物（例えばイノシシ）が凹溝部１５の動物侵入防護柵１側の側壁を前足で掘ることが極めて困難となり、動物が動物侵入防護柵１を地中から掘り抜けようとする行為を抑止することができる。
【００３３】
更に、凹溝部１５の幅が侵入を抑止しようとする動物（例えばイノシシ）の全長よりも短い幅とされているために、凹溝部１５に入り込んだ動物Ｂ（例えば、イノシシ）は、動物侵入防護柵１側を正面視することができない。そのことによっても、動物侵入防護柵１側の側面を前足で掘ることが極めて困難となり、動物が動物侵入防護柵１を地中から掘り抜けようとする行為を抑止することができる。
【００３４】
また、上記した第１の実施の形態の動物侵入防護柵１を用いているために、動物侵入防護柵１の乗り越えについても充分効果的に抑止することができる。
【００３５】
この様に、本発明を適用した動物侵入防護システムでは、動物侵入防護柵の乗り越えのみならず地中からの掘り抜けをも抑止することができ、極めて効果的に動物の侵入を抑止することができる。
【符号の説明】
【００３６】
１    動物侵入防護柵
２    支柱
３    ネットフェンス
４    柵本体
５    回転体
６    回転体支持部
７    回転軸
８    凸部
１４    硬質部材
１５    凹溝部
【図１】
2011087495.tif 000003
【図２】
2011087495.tif 000004
【図３】
2011087495.tif 000005
【図４】
2011087495.tif 000006
【図５】
2011087495.tif 000007